(57)【要約】【課題】  封止膜に穿孔するための穿孔部材が突設された保護キャップを不要にする一方で、保管時における封止膜の保護効果を確保すると共に、パンク修理時における封止膜の穿孔作業を可能にしたパンク修理液の収容容器を提供する。【解決手段】  パンク修理液Ｒを収容する液体収容部２と、該液体収容部２に連結された開口部３と、該開口部３を密閉する封止膜４とを備えたパンク修理液の収容容器１において、開口部３の内径よりも大きな寸法を有すると共に封止膜４に積層された状態で保持される板状の保護部材５を備え、該保護部材５は折り曲げられた状態で封止膜４に穿孔するための穿孔用具として機能する。【選択図】  図１
2013216329.tif 000002
【特許請求の範囲】
【請求項１】
パンク修理液を収容する液体収容部と、該液体収容部に連結された開口部と、該開口部を密閉する封止膜とを備えたパンク修理液の収容容器において、前記開口部の内径よりも大きな寸法を有すると共に前記封止膜に積層された状態で保持される板状の保護部材を備え、該保護部材が折り曲げられた状態で前記封止膜に穿孔するための穿孔用具として機能することを特徴とするパンク修理液の収容容器。
【請求項２】
前記保護部材にその面方向に沿って延長する少なくとも１本の折り曲げ溝を設けたことを特徴とする請求項１に記載のパンク修理液の収容容器。
【請求項３】
前記保護部材に前記折り曲げ溝に接続された少なくとも１本の切り込みを設けたことを特徴とする請求項２に記載のパンク修理液の収容容器。
【請求項４】
前記保護部材が該保護部材及び前記開口部を一体的に覆うシュリンクフィルムにより前記封止膜に対して固定されることを特徴とする請求項１〜３のいずれかに記載のパンク修理液の収容容器。
【請求項５】
前記保護部材が前記封止膜の一部に付着させた粘着剤により前記封止膜に対して固定されることを特徴とする請求項１〜３のいずれかに記載のパンク修理液の収容容器。
【発明の詳細な説明】
【技術分野】
【０００１】
本発明は、パンク修理液を収容するための容器に関し、更に詳しくは、封止膜に穿孔するための穿孔部材が突設された保護キャップを不要にする一方で、保管時における封止膜の保護効果を確保すると共に、パンク修理時における封止膜の穿孔作業を可能にしたパンク修理液の収容容器に関する。
【背景技術】
【０００２】
近年、車両に装着されたタイヤがパンクした際に、タイヤバルブを介してタイヤ内にパンク修理液を注入することにより、パンクを応急的に修理すると同時にタイヤ内に空気を充填することが行われている。
【０００３】
パンク修理液の注入装置は、パンク修理液を収容する容器と、エアコンプレッサーと、これら容器及びエアコンプレッサーをタイヤバルブに接続するためのホースとから構成されている（例えば、特許文献１〜３参照）。
【０００４】
このようなパンク修理液の注入装置はパンクに備えて車両に装備されるが、長期保管によるパンク修理液の劣化や漏れを防止するために、パンク修理液を収容する容器の開口部にはガス透過性が低いアルミフィルム等の封止膜が貼り付けられ、この封止膜により容器が密閉されている。また、封止膜は鋭利な突起に接触すると破損する恐れがあるため、容器の開口部には封止膜を保護するための保護キャップが取り付けられている。更に、保護キャップの頭頂部には封止膜に穿孔するための穿孔部材が突設されており、パンク修理時には穿孔部材を用いて封止膜の穿孔作業を行うようになっている。
【０００５】
しかしながら、穿孔部材が突設された保護キャップは形状が複雑であって高価であるため、そのコストを削減することが求められている。また、穿孔部材が突設された保護キャップは容器全体の高さを増大させる要因となるため、その寸法を小さくすることが求められている。なお、穿孔部材が突設された保護キャップを容器から排除することにより、上記要求を満足することが可能であるが、その場合、保管時における封止膜の保護効果を確保することができず、パンク修理時には封止膜の穿孔作業を行うことができなくなる。
【先行技術文献】
【特許文献】
【０００６】
【特許文献１】特開平９−１１８７７９号公報
【特許文献２】特開２０００−１０８２１５号公報
【特許文献３】特開２０１０−６９８４７号公報
【発明の概要】
【発明が解決しようとする課題】
【０００７】
本発明の目的は、封止膜に穿孔するための穿孔部材が突設された保護キャップを不要にする一方で、保管時における封止膜の保護効果を確保すると共に、パンク修理時における封止膜の穿孔作業を可能にしたパンク修理液の収容容器を提供することにある。
【課題を解決するための手段】
【０００８】
上記目的を達成するための本発明のパンク修理液の収容容器は、パンク修理液を収容する液体収容部と、該液体収容部に連結された開口部と、該開口部を密閉する封止膜とを備えたパンク修理液の収容容器において、前記開口部の内径よりも大きな寸法を有すると共に前記封止膜に積層された状態で保持される板状の保護部材を備え、該保護部材が折り曲げられた状態で前記封止膜に穿孔するための穿孔用具として機能することを特徴とするものである。
【発明の効果】
【０００９】
本発明では、パンク修理液の収容容器が封止膜に積層された状態で保持される板状の保護部材を備え、該保護部材は折り曲げられた状態で封止膜に穿孔するための穿孔用具として機能する。そのため、封止膜に穿孔するための穿孔部材が突設された保護キャップを排除した場合であっても、板状の保護部材に基づいて保管時における封止膜の保護効果を確保することができ、しかもパンク修理時には保護部材を折り曲げた状態にして穿孔用具として使用することにより封止膜の穿孔作業を行うことができる。
【００１０】
本発明において、保護部材にはその面方向に沿って延長する少なくとも１本の折り曲げ溝を設けることが好ましい。これにより、保護部材を穿孔用具として使用する際に該保護部材を折り曲げ溝に沿って容易に折り曲げることができ、しかも折り曲げ部分が鋭利になるため封止膜を容易に破くことができる。
【００１１】
また、保護部材には折り曲げ溝に接続された少なくとも１本の切り込みを設けることが好ましい。これにより、保護部材を折り曲げ溝に沿って折り曲げた際に切り込みにより区画された鋭利な角部を突出させ、その角部を用いて封止膜を容易に破くことができる。
【００１２】
保護部材は該保護部材及び開口部を一体的に覆うシュリンクフィルムにより封止膜に対して固定されることが好ましく、或いは、保護部材は封止膜の一部に付着させた粘着剤により封止膜に対して固定されること好ましい。この場合、パンク修理液の収容容器を必要以上に嵩張らせることなく、保護部材を封止膜に対して固定することができる。
【図面の簡単な説明】
【００１３】
【図１】本発明の実施形態からなるパンク修理液の収容容器を示す側面図である。
【図２】本発明の他の実施形態からなるパンク修理液の収容容器を示す側面図である。
【図３】本発明で使用される保護部材の一例を示し、（ａ）は折り曲げ前の状態を示す平面図であり、（ｂ）は折り曲げられた状態を示す平面図である。
【図４】本発明で使用される保護部材の変形例を示し、（ａ）は折り曲げ前の状態を示す平面図であり、（ｂ）は折り曲げられた状態を示す平面図である。
【図５】本発明で使用される保護部材の変形例を示し、（ａ）は折り曲げ前の状態を示す平面図であり、（ｂ）は折り曲げられた状態を示す平面図である。
【図６】本発明で使用される保護部材の変形例を示し、（ａ）は折り曲げ前の状態を示す平面図であり、（ｂ）は折り曲げられた状態を示す平面図である。
【図７】本発明のパンク修理液の収容容器を用いたパンク修理方法を示す側面図である。
【発明を実施するための形態】
【００１４】
以下、本発明の構成について添付の図面を参照しながら詳細に説明する。図１は本発明の実施形態からなるパンク修理液の収容容器を示すものである。図１に示すように、本実施形態のパンク修理液の収容容器１は、パンク修理液Ｒを収容する液体収容部２と、該液体収容部２に連結された開口部３と、該開口部３を密閉する封止膜４とを備えている。この封止膜４は開口部３の端面に対して接着剤又は熱融着により固着されている。封止膜４としては、例えば、ガス透過性が低いアルミフィルムと樹脂フィルムとのラミネートフィルムを使用することが好ましいが、ガス透過性が低い樹脂フィルムを使用することも可能である。
【００１５】
上記パンク修理液の収容容器１は、開口部３の内径よりも大きな寸法を有すると共に封止膜４に積層された状態で保持された板状の保護部材５を備えている。より具体的には、保護部材５は該保護部材５及び開口部３を一体的に覆うシュリンクフィルム６により封止膜４に対して固定されている。そのため、シュリンクフィルム６を開口部３から引き剥がすことにより、保護部材５は封止膜４から分離される。
【００１６】
図２は本発明の他の実施形態からなるパンク修理液の収容容器を示すものである。図２において図１と同一物には同一符号を付してその部分の詳細な説明は省略する。図２において、保護部材５は封止膜４の中央部に付着させた粘着剤７により封止膜４に対して固定されている。つまり、保護部材５の固定手段として上述したシュリンクフィルム６の替わりに粘着剤７が使用されている。この場合、保護部材５を粘着剤７から引き剥がすことにより、保護部材５は封止膜４から分離される。
【００１７】
上述した保護部材５は、厚紙や樹脂製シートから構成することが好ましく、ある程度の剛性を確保するために、その厚さを１ｍｍ〜２ｍｍとすることが好ましい。厚紙を使用する場合、折り曲げた際のバラケを防止するために、厚紙に表面コーティングを施すようにしても良い。保護部材５は、必要であれば、金属板から構成することも可能である。保護部材５の平面視形状は、特に限定されるものではなく、例えば、円形や多角形とすることができる。保護部材５は、折り曲げられた状態では剛性が高くなると共に角部が形成されるので、封止膜４に孔を開けるための穿孔用具として有効に機能する。
【００１８】
上述したパンク修理液の収容容器１は、封止膜４に積層された状態で保持される板状の保護部材５を備え、その保護部材５が折り曲げられた状態で封止膜４に穿孔するための穿孔用具として機能するので、穿孔部材が突設された従来の保護キャップを排除した場合であっても、板状の保護部材５に基づいて保管時における封止膜４の保護効果を確保することができ、しかもパンク修理時には保護部材５を折り曲げた状態にして穿孔用具として使用することにより封止膜４の穿孔作業を行うことができる。
【００１９】
ここで、保護部材５は開口部３の内径よりも大きな寸法を有することが必要である。この保護部材５が開口部３の内径より小さいと封止膜４に積層された保護部材５が開口部３内に落ち込んで封止膜４を損傷する恐れがある。なお、シュリンクフィルム６や粘着剤７を用いて保護部材５を封止膜４に積層した状態で保持するために、保護部材５の寸法は開口部３の端面の外径よりも小さくすることが望ましい。
【００２０】
図３〜図６はそれぞれ本発明で使用される保護部材を示すものである。図３（ａ）において、保護部材５は平面視で円形をなし、その面方向に沿って延長する１本の折り曲げ溝５ａを備えている。この保護部材５は折り曲げ溝５ａに沿って簡単に折り曲げることができ、折り曲げられた状態では図３（ｂ）に示すような形状になる。図４（ａ）において、保護部材５は平面視で円形の一部が欠けた形状をなし、その面方向に沿って延長する１本の折り曲げ溝５ａを備えている。この保護部材５は折り曲げ溝５ａに沿って簡単に折り曲げることができ、折り曲げられた状態では図４（ｂ）に示すような形状になる。図５（ａ）において、保護部材５は平面視で八角形をなし、その面方向に沿って延長する１本の折り曲げ溝５ａを備えている。この保護部材５は折り曲げ溝５ａに沿って簡単に折り曲げることができ、折り曲げられた状態では図５（ｂ）に示すような形状になる。各保護部材５には複数本の折り曲げ溝５ａを形成しても良く、或いは、折り曲げ溝５ａを途中で分岐させても良い。折り曲げ溝５ａの横断面形状は、特に限定されるものではないが、例えば、Ｖ字溝とすることができる。
【００２１】
保護部材５は、折り曲げ溝５ａを有していない場合であっても適宜折り曲げることが可能であるが、その面方向に沿って延長する少なくとも１本の折り曲げ溝５ａを設けることで折り曲げ加工が容易になり、しかも折り曲げ部分が鋭利になるため封止膜４を容易に破くことが可能になる。特に、厚紙の場合には型崩れを防止することができる。
【００２２】
図６（ａ）において、保護部材５は平面視で円形をなし、その面方向に沿って延長する１本の折り曲げ溝５ａと該折り曲げ溝５ａに接続されると共に屈曲した形状を有する１本の切り込み５ｂを備えている。この保護部材５は折り曲げ溝５ａに沿って簡単に折り曲げることができ、折り曲げられた状態では図６（ｂ）に示すような形状になる。つまり、保護部材５が折り曲げられた状態では切り込み５ｂにより区画された鋭利な角部５ｃが突き出すようになっている。そのため、鋭利な角部５ｃを用いて封止膜４を容易に破くことができる。
【００２３】
図７は本発明のパンク修理液の収容容器を用いたパンク修理方法を示すものである。図７において、１１は空気入りタイヤであり、１２はホイールであり、１３はホイールに取り付けられたタイヤバルブである。
【００２４】
図７に示すように、このパンク修理液の注入装置は、パンク修理液Ｒを収容する容器１と、該容器１の開口部３に装着される注入用キャップ２１と、圧縮空気を供給するためのエアコンプレッサー３１と、容器１及びエアコンプレッサー３１をタイヤバルブ１３に接続するためのホース４１，４２とを備えている。注入用キャップ２１にはパンク修理液Ｒを吐出するための吐出口２２及び圧縮空気を取り入れるための取入口２３が配設され、吐出口２２には容器１の底部に到達する内管２４が連結されている。
【００２５】
パンク修理を行う場合、先ず、容器１の開口部３を密閉する封止膜４に保護部材５を用いて孔を開け、容器１の開口部３に注入用キャップ２１を装着する。次に、キャップ２１の吐出口２２とタイヤバルブ１３との間にホース４１を接続する一方で、キャップ２１の取入口２３とエアコンプレッサー３１との間にホース４２を接続する。そして、エアコンプレッサー３１のプラグ３２を電源に接続し、エアコンプレッサー３１を駆動することにより、圧縮空気の圧力に基づいて容器１内のパンク修理液Ｒを空気入りタイヤ１１内に注入し、注入完了後はそのまま空気入りタイヤ１１内に圧縮空気を充填する。
【００２６】
なお、図７では容器１を開口部３が上向きとなるように配置した状態でパンク修理液Ｒの注入作業を行う場合について説明したが、注入作業時の容器１の配置形態は注入用キャップの構造に応じて適宜選択することができる。
【符号の説明】
【００２７】
１  パンク修理液の収容容器
２  液体収容部
３  開口部
４  封止膜
５  保護部材
５ａ  折り曲げ溝
５ｂ  切り込み
５ｃ  角部
６  シュリンクフィルム
７  粘着剤
Ｒ  パンク修理液
【図１】
2013216329.tif 000003
【図２】
2013216329.tif 000004
【図３】
2013216329.tif 000005
【図４】
2013216329.tif 000006
【図５】
2013216329.tif 000007
【図６】
2013216329.tif 000008
【図７】
2013216329.tif 000009
【手続補正書】
【提出日】平成25年7月30日(2013.7.30)
【手続補正１】
【補正対象書類名】特許請求の範囲
【補正対象項目名】全文
【補正方法】変更
【補正の内容】
【特許請求の範囲】
【請求項１】
パンク修理液を収容する液体収容部と、該液体収容部に連結された開口部と、該開口部を密閉する封止膜とを備えたパンク修理液の収容容器において、前記開口部の内径よりも大きな寸法を有すると共に前記封止膜に積層された状態で保持される板状の保護部材を備え、該保護部材の厚さが１ｍｍ〜２ｍｍであり、前記保護部材が該保護部材及び前記開口部を一体的に覆うシュリンクフィルムにより前記封止膜に対して固定され、前記保護部材が前記封止膜から分離されて折り曲げられた状態で前記封止膜に穿孔するための穿孔用具として機能することを特徴とするパンク修理液の収容容器。
【請求項２】
前記保護部材にその面方向に沿って延長する少なくとも１本の折り曲げ溝を設けたことを特徴とする請求項１に記載のパンク修理液の収容容器。
【請求項３】
前記保護部材に前記折り曲げ溝に接続された少なくとも１本の切り込みを設けたことを特徴とする請求項２に記載のパンク修理液の収容容器。
【請求項４】
前記保護部材の寸法が前記開口部の端面の外径よりも小さいことを特徴とする請求項１〜３のいずれかに記載のパンク修理液の収容容器。
【手続補正２】
【補正対象書類名】明細書
【補正対象項目名】０００８
【補正方法】変更
【補正の内容】
【０００８】
上記目的を達成するための本発明のパンク修理液の収容容器は、パンク修理液を収容する液体収容部と、該液体収容部に連結された開口部と、該開口部を密閉する封止膜とを備えたパンク修理液の収容容器において、前記開口部の内径よりも大きな寸法を有すると共に前記封止膜に積層された状態で保持される板状の保護部材を備え、該保護部材の厚さが１ｍｍ〜２ｍｍであり、前記保護部材が該保護部材及び前記開口部を一体的に覆うシュリンクフィルムにより前記封止膜に対して固定され、前記保護部材が前記封止膜から分離されて折り曲げられた状態で前記封止膜に穿孔するための穿孔用具として機能することを特徴とするものである。
【手続補正３】
【補正対象書類名】明細書
【補正対象項目名】００１２
【補正方法】変更
【補正の内容】
【００１２】
保護部材の厚さは１ｍｍ〜２ｍｍとする。保護部材は該保護部材及び開口部を一体的に覆うシュリンクフィルムにより封止膜に対して固定される。この場合、パンク修理液の収容容器を必要以上に嵩張らせることなく、保護部材を封止膜に対して固定することができる。
【手続補正４】
【補正対象書類名】明細書
【補正対象項目名】００１３
【補正方法】変更
【補正の内容】
【００１３】
【図１】本発明の実施形態からなるパンク修理液の収容容器を示す側面図である。
【図２】パンク修理液の収容容器の参考例を示す側面図である。
【図３】本発明で使用される保護部材の一例を示し、（ａ）は折り曲げ前の状態を示す平面図であり、（ｂ）は折り曲げられた状態を示す平面図である。
【図４】本発明で使用される保護部材の変形例を示し、（ａ）は折り曲げ前の状態を示す平面図であり、（ｂ）は折り曲げられた状態を示す平面図である。
【図５】本発明で使用される保護部材の変形例を示し、（ａ）は折り曲げ前の状態を示す平面図であり、（ｂ）は折り曲げられた状態を示す平面図である。
【図６】本発明で使用される保護部材の変形例を示し、（ａ）は折り曲げ前の状態を示す平面図であり、（ｂ）は折り曲げられた状態を示す平面図である。
【図７】本発明のパンク修理液の収容容器を用いたパンク修理方法を示す側面図である。
【手続補正５】
【補正対象書類名】明細書
【補正対象項目名】００１６
【補正方法】変更
【補正の内容】
【００１６】
図２はパンク修理液の収容容器の参考例を示すものである。図２において図１と同一物には同一符号を付してその部分の詳細な説明は省略する。図２において、保護部材５は封止膜４の中央部に付着させた粘着剤７により封止膜４に対して固定されている。つまり、保護部材５の固定手段として上述したシュリンクフィルム６の替わりに粘着剤７が使用されている。この場合、保護部材５を粘着剤７から引き剥がすことにより、保護部材５は封止膜４から分離される。